(57)【特許請求の範囲】
【請求項１】
携帯情報端末を充電する充電スタンドであって、
中空形状のスタンド本体と、
前記スタンド本体中に収容されているコネクタユニットと、
を備え、
前記スタンド本体は、
前記コネクタユニットを回転可能に支持する支持部と、
開口部が設けられていて、前記携帯情報端末が載置される載置部と、
前記携帯情報端末からの音声を拡大させる音声拡大部と、
を有し、
前記コネクタユニットは、
前記支持部に回転可能に支持されている回転部材と、
前記回転部材に、前記回転部材の回転方向に間隔を開けて設けられていて、前記載置部に載置される前記携帯情報端末のレセプタクルコネクタが電気的に接続される複数個のプラグと、
複数個の前記プラグにそれぞれ電気的に接続されているケーブルと、
前記ケーブルに電気的に接続されていて、前記スタンド本体に取り付けられているソケットと、
前記回転部材に連結されていて、かつ、少なくとも一部が前記スタンド本体の外側に配置されていて、前記少なくとも一部を操作して前記回転部材を回転させ、複数個の前記プラグのうち使用する前記プラグを前記開口部を経て前記スタンド本体の外側に位置させる操作部材と、
を有し、
複数個の前記プラグは、それぞれ、規格が異なるプラグであり、
前記回転部材の周縁部分には、前記携帯情報端末のレセプタクルコネクタに対向するレセプタクルコネクタ対向部が、複数個、前記回転部材の回転方向に間隔を開けて、設けられていて、
前記レセプタクルコネクタ対向部の個数は、前記プラグの個数を超える個数であり、
前記プラグの個数と同等の個数の前記レセプタクルコネクタ対向部には、前記プラグが個別に設けられている、
ことを特徴とする充電スタンド。
【請求項２】
複数個の前記レセプタクルコネクタ対向部は、それぞれ、前記携帯情報端末の前面に対向する第１側面と、前記携帯情報端末の背面に対向する第２側面と、前記レセプタクルコネクタに対向する底面と、を有し、
前記プラグの個数と同等の個数の前記底面には、前記プラグが個別に突設されている、
ことを特徴とする請求項１に記載の充電スタンド。
【請求項３】
前記載置部は、前記携帯情報端末の前面に対向する第１対向面と、前記携帯情報端末の背面に対向する第２対向面と、前記携帯情報端末のスピーカー側の側面が載置される載置底面と、を有し、
前記第１対向面、前記第２対向面および前記載置底面には、複数個の前記レセプタクルコネクタ対向部の前記第１側面、前記第２側面および前記底面がそれぞれ位置する前記開口部が、設けられていて、
前記載置部の前記第１対向面、前記第２対向面および前記載置底面と、複数個の前記レセプタクルコネクタ対向部の前記第１側面、前記第２側面および前記底面とは、前記回転部材の回転中心線方向に設けられている、
ことを特徴とする請求項２に記載の充電スタンド。
【請求項４】
携帯情報端末を充電する充電スタンドであって、
中空形状のスタンド本体と、
前記スタンド本体中に収容されているコネクタユニットと、
を備え、
前記スタンド本体は、
前記コネクタユニットを回転可能に支持する支持部と、
開口部が設けられていて、前記携帯情報端末が載置される載置部と、
前記携帯情報端末からの音声を拡大させる音声拡大部と、
を有し、
前記コネクタユニットは、
前記支持部に回転可能に支持されている回転部材と、
前記回転部材に、前記回転部材の回転方向に間隔を開けて設けられていて、前記載置部に載置される前記携帯情報端末のレセプタクルコネクタが電気的に接続される複数個のプラグと、
複数個の前記プラグにそれぞれ電気的に接続されているケーブルと、
前記ケーブルに電気的に接続されていて、前記スタンド本体に取り付けられているソケットと、
前記回転部材に連結されていて、かつ、少なくとも一部が前記スタンド本体の外側に配置されていて、前記少なくとも一部を操作して前記回転部材を回転させ、複数個の前記プラグのうち使用する前記プラグを前記開口部を経て前記スタンド本体の外側に位置させる操作部材と、
を有し、
複数個の前記プラグは、それぞれ、規格が異なるプラグであり、
前記回転部材の周縁部分には、前記携帯情報端末のレセプタクルコネクタに対向するレセプタクルコネクタ対向部が、複数個、前記回転部材の回転方向に間隔を開けて、設けられていて、
前記レセプタクルコネクタ対向部の個数は、前記プラグの個数と同等の個数であり、
前記プラグの個数と同等の個数の前記レセプタクルコネクタ対向部には、前記プラグが個別に設けられていて、
複数個の前記レセプタクルコネクタ対向部は、それぞれ、前記携帯情報端末の前面に対向する第１側面と、前記携帯情報端末の背面に対向する第２側面と、前記レセプタクルコネクタに対向する底面と、を有し、
前記プラグの個数と同等の個数の前記底面には、前記プラグが個別に突設されている、
ことを特徴とする充電スタンド。
【請求項５】
前記載置部は、前記携帯情報端末の前面に対向する第１対向面と、前記携帯情報端末の背面に対向する第２対向面と、前記携帯情報端末のスピーカー側の側面が載置される載置底面と、を有し、
前記第１対向面、前記第２対向面および前記載置底面には、複数個の前記レセプタクルコネクタ対向部の前記第１側面、前記第２側面および前記底面がそれぞれ位置する前記開口部が、設けられていて、
前記載置部の前記第１対向面、前記第２対向面および前記載置底面と、複数個の前記レセプタクルコネクタ対向部の前記第１側面、前記第２側面および前記底面とは、前記回転部材の回転中心線方向に設けられている、
ことを特徴とする請求項４に記載の充電スタンド。
【請求項６】
携帯情報端末を充電する充電スタンドであって、
中空形状のスタンド本体と、
前記スタンド本体中に収容されているコネクタユニットと、
を備え、
前記スタンド本体は、
前記コネクタユニットを回転可能に支持する支持部と、
開口部が設けられていて、前記携帯情報端末が載置される載置部と、
前記携帯情報端末からの音声を拡大させる音声拡大部と、
を有し、
前記コネクタユニットは、
前記支持部に回転可能に支持されている回転部材と、
前記回転部材に、前記回転部材の回転方向に間隔を開けて設けられていて、前記載置部に載置される前記携帯情報端末のレセプタクルコネクタが電気的に接続される複数個のプラグと、
複数個の前記プラグにそれぞれ電気的に接続されているケーブルと、
前記ケーブルに電気的に接続されていて、前記スタンド本体に取り付けられているソケットと、
前記回転部材に連結されていて、かつ、少なくとも一部が前記スタンド本体の外側に配置されていて、前記少なくとも一部を操作して前記回転部材を回転させ、複数個の前記プラグのうち使用する前記プラグを前記開口部を経て前記スタンド本体の外側に位置させる操作部材と、
を有し、
複数個の前記プラグは、それぞれ、規格が異なるプラグであり、
前記音声拡大部は、前記スタンド本体により形成されている空間から構成されていて、
前記音声拡大部の前記空間は、前記スタンド本体の後側から前側にかけて広がっている空間形状をなし、
前記載置部には、前記携帯情報端末からの音声を前記音声拡大部中に取り入れる取入口が、設けられていて、
前記スタンド本体の前面側には、前記取入口から前記音声拡大部中に取り入れられ、かつ、前記音声拡大部により拡大された音声を外部に放出する放出孔が、設けられていて、
前記コネクタユニットの前記回転部材は、前記音声拡大部の前記空間中に収容されていて、
前記回転部材の回転中心線方向は、前記スタンド本体の前後方向に対して交差する、
ことを特徴とする充電スタンド。
【請求項７】
携帯情報端末を充電する充電スタンドであって、
中空形状のスタンド本体と、
前記スタンド本体中に収容されているコネクタユニットと、
を備え、
前記スタンド本体は、
前記コネクタユニットを回転可能に支持する支持部と、
開口部が設けられていて、前記携帯情報端末が載置される載置部と、
前記携帯情報端末からの音声を拡大させる音声拡大部と、
を有し、
前記コネクタユニットは、
前記支持部に回転可能に支持されている回転部材と、
前記回転部材に、前記回転部材の回転方向に間隔を開けて設けられていて、前記載置部に載置される前記携帯情報端末のレセプタクルコネクタが電気的に接続される複数個のプラグと、
複数個の前記プラグにそれぞれ電気的に接続されているケーブルと、
前記ケーブルに電気的に接続されていて、前記スタンド本体に取り付けられているソケットと、
前記回転部材に連結されていて、かつ、少なくとも一部が前記スタンド本体の外側に配置されていて、前記少なくとも一部を操作して前記回転部材を回転させ、複数個の前記プラグのうち使用する前記プラグを前記開口部を経て前記スタンド本体の外側に位置させる操作部材と、
を有し、
複数個の前記プラグは、それぞれ、規格が異なるプラグであり、
前記音声拡大部は、前記スタンド本体により形成されている空間から構成されていて、
前記音声拡大部の前記空間は、前記スタンド本体の後側から前側にかけて広がっている空間形状をなし、
前記載置部には、前記携帯情報端末からの音声を前記音声拡大部中に取り入れる取入口が、設けられていて、
前記スタンド本体の前面側には、前記取入口から前記音声拡大部中に取り入れられ、かつ、前記音声拡大部により拡大された音声を外部に放出する放出孔が、設けられていて、
前記コネクタユニットの前記回転部材は、前記音声拡大部の前記空間中に収容されていて、
前記回転部材の回転中心線方向は、前記スタンド本体の前後方向に対して直交する、
ことを特徴とする充電スタンド。
【請求項８】
前記取入口は、前記スタンド本体の前後方向の中間部分に設けられている、
ことを特徴とする請求項６または７に記載の充電スタンド。
【請求項９】
前記音声拡大部の前記空間の平面視形状は、ラッパ形状やメガホン形状をなし、
前記開口部は、前記載置部の左右方向の中央部に設けられている、
ことを特徴とする請求項６または７に記載の充電スタンド。
【発明の詳細な説明】
【技術分野】
【０００１】
この発明は、スマートフォンやタブレット端末あるいはオーディオ端末などの携帯情報端末を充電する充電スタンドに関する。特に、この発明は、拡声機能を有する充電スタンドに関する。
【背景技術】
【０００２】
拡声機能を有する充電スタンドとして、たとえば、特許文献１および特許文献２に示すものがある。
【０００３】
特許文献１のクレードルスピーカー装置は、筐体に、受信コイル、オーディオアンプ、スピーカーおよび給電コネクタを、設けたものである。特許文献１のクレードルスピーカー装置は、携帯端末からの音響信号を、携帯端末の送信コイルの電磁誘電により、受信コイルに入力し、かつ、オーディオアンプにより増幅し、増幅した音響信号をスピーカーから出力するものである。また、特許文献１のクレードルスピーカー装置は、携帯端末のコネクタを給電コネクタに電気的に接続することにより、携帯端末を充電することができる。このように、特許文献１のクレードルスピーカー装置は、携帯端末からの音響信号を増幅して出力すると同時に、携帯端末を充電することができるものである。
【０００４】
特許文献２の電子機器システムの載置部は、凹部、端子および振動子を備えるものである。特許文献２の電子機器システムの載置部は、凹部に携帯電子機器を載置させ、端子に携帯電子機器の充電端子を電気的に接続させることにより、携帯電子機器を充電させると同時に、携帯電子機器からの音響信号を振動子を介して音響として放射することができるものである。
【先行技術文献】
【特許文献】
【０００５】
【特許文献１】特開２０１５−３５７２１号公報
【特許文献２】特開２０１４−１１６１６号公報
【発明の概要】
【発明が解決しようとする課題】
【０００６】
しかしながら、特許文献１のクレードルスピーカー装置は、１個の給電コネクタを設けたものであるから、１個の給電コネクタの規格に合うコネクタを有する一部の携帯端末しか充電できない。
【０００７】
特許文献２の電子機器システムの載置部は、１個の端子を設けたものであるから、１個の端子の規格に合う充電端子を有する一部の携帯電子機器しか充電できない。
【０００８】
この発明が解決しようとする課題は、大部分の携帯情報端末を充電することができる充電スタンドを提供することにある。
【課題を解決するための手段】
【０００９】
この発明の充電スタンドは、携帯情報端末を充電する充電スタンドであって、中空形状のスタンド本体と、スタンド本体中に収容されているコネクタユニットと、を備え、スタンド本体が、コネクタユニットを回転可能に支持する支持部と、開口部が設けられていて、携帯情報端末が載置される載置部と、携帯情報端末からの音声を拡大させる音声拡大部と、を有し、コネクタユニットが、支持部に回転可能に支持されている回転部材と、回転部材に、回転部材の回転方向に間隔を開けて設けられていて、載置部に載置される携帯情報端末のレセプタクルコネクタが電気的に接続される複数個のプラグと、複数個のプラグにそれぞれ電気的に接続されているケーブルと、ケーブルに電気的に接続されていて、スタンド本体に取り付けられているソケットと、回転部材に連結されていて、かつ、少なくとも一部がスタンド本体の外側に配置されていて、少なくとも一部を操作して回転部材を回転させ、複数個のプラグのうち使用するプラグを開口部を経てスタンド本体の外側に位置させる操作部材と、を有し、複数個のプラグが、それぞれ、規格が異なるプラグであり、回転部材の周縁部分には、携帯情報端末のレセプタクルコネクタに対向するレセプタクルコネクタ対向部が、複数個、回転部材の回転方向に間隔を開けて、設けられていて、レセプタクルコネクタ対向部の個数が、プラグの個数を超える個数であり、プラグの個数と同等の個数のレセプタクルコネクタ対向部には、プラグが個別に設けられている、ことを特徴とする。
【００１２】
この発明の充電スタンドにおいて、複数個のレセプタクルコネクタ対向部が、それぞれ、携帯情報端末の前面に対向する第１側面と、携帯情報端末の背面に対向する第２側面と、レセプタクルコネクタに対向する底面と、を有し、プラグの個数と同等の個数の底面には、プラグが個別に突設されている、ことが好ましい。
【００１４】
この発明の充電スタンドにおいて、載置部が、携帯情報端末の前面に対向する第１対向面と、携帯情報端末の背面に対向する第２対向面と、携帯情報端末のスピーカー側の側面が載置される載置底面と、を有し、第１対向面、第２対向面および載置底面には、複数個のレセプタクルコネクタ対向部の第１側面、第２側面および底面がそれぞれ位置する開口部が、設けられていて、載置部の第１対向面、第２対向面および載置底面と、複数個のレセプタクルコネクタ対向部の第１側面、第２側面および底面とが、回転部材の回転中心線方向に設けられている、ことが好ましい。
【００１５】
この発明の充電スタンドは、携帯情報端末を充電する充電スタンドであって、中空形状のスタンド本体と、スタンド本体中に収容されているコネクタユニットと、を備え、スタンド本体が、コネクタユニットを回転可能に支持する支持部と、開口部が設けられていて、携帯情報端末が載置される載置部と、携帯情報端末からの音声を拡大させる音声拡大部と、を有し、コネクタユニットが、支持部に回転可能に支持されている回転部材と、回転部材に、回転部材の回転方向に間隔を開けて設けられていて、載置部に載置される携帯情報端末のレセプタクルコネクタが電気的に接続される複数個のプラグと、複数個のプラグにそれぞれ電気的に接続されているケーブルと、ケーブルに電気的に接続されていて、スタンド本体に取り付けられているソケットと、回転部材に連結されていて、かつ、少なくとも一部がスタンド本体の外側に配置されていて、少なくとも一部を操作して回転部材を回転させ、複数個のプラグのうち使用するプラグを開口部を経てスタンド本体の外側に位置させる操作部材と、を有し、複数個のプラグが、それぞれ、規格が異なるプラグであり、回転部材の周縁部分には、携帯情報端末のレセプタクルコネクタに対向するレセプタクルコネクタ対向部が、複数個、回転部材の回転方向に間隔を開けて、設けられていて、レセプタクルコネクタ対向部の個数が、プラグの個数と同等の個数であり、プラグの個数と同等の個数のレセプタクルコネクタ対向部には、プラグが個別に設けられていて、複数個のレセプタクルコネクタ対向部が、それぞれ、携帯情報端末の前面に対向する第１側面と、携帯情報端末の背面に対向する第２側面と、レセプタクルコネクタに対向する底面と、を有し、プラグの個数と同等の個数の底面には、プラグが個別に突設されている、ことを特徴とする。
【００１６】
この発明の充電スタンドにおいて、載置部が、携帯情報端末の前面に対向する第１対向面と、携帯情報端末の背面に対向する第２対向面と、携帯情報端末のスピーカー側の側面が載置される載置底面と、を有し、第１対向面、第２対向面および載置底面には、複数個のレセプタクルコネクタ対向部の第１側面、第２側面および底面がそれぞれ位置する開口部が、設けられていて、載置部の第１対向面、第２対向面および載置底面と、複数個のレセプタクルコネクタ対向部の第１側面、第２側面および底面とが、回転部材の回転中心線方向に設けられている、ことが好ましい。
【００１７】
この発明の充電スタンドは、携帯情報端末を充電する充電スタンドであって、中空形状のスタンド本体と、スタンド本体中に収容されているコネクタユニットと、を備え、スタンド本体が、コネクタユニットを回転可能に支持する支持部と、開口部が設けられていて、携帯情報端末が載置される載置部と、携帯情報端末からの音声を拡大させる音声拡大部と、を有し、コネクタユニットが、支持部に回転可能に支持されている回転部材と、回転部材に、回転部材の回転方向に間隔を開けて設けられていて、載置部に載置される携帯情報端末のレセプタクルコネクタが電気的に接続される複数個のプラグと、複数個のプラグにそれぞれ電気的に接続されているケーブルと、ケーブルに電気的に接続されていて、スタンド本体に取り付けられているソケットと、回転部材に連結されていて、かつ、少なくとも一部がスタンド本体の外側に配置されていて、少なくとも一部を操作して回転部材を回転させ、複数個のプラグのうち使用するプラグを開口部を経てスタンド本体の外側に位置させる操作部材と、を有し、複数個のプラグが、それぞれ、規格が異なるプラグであり、音声拡大部が、スタンド本体により形成されている空間から構成されていて、音声拡大部の空間が、スタンド本体の後側から前側にかけて広がっている空間形状をなし、載置部には、携帯情報端末からの音声を音声拡大部中に取り入れる取入口が、設けられていて、スタンド本体の前面側には、取入口から音声拡大部中に取り入れられ、かつ、音声拡大部により拡大された音声を外部に放出する放出孔が、設けられていて、コネクタユニットの回転部材が、音声拡大部の前記空間中に収容されていて、回転部材の回転中心線方向が、スタンド本体の前後方向に対して交差する、ことを特徴とする。
この発明の充電スタンドは、携帯情報端末を充電する充電スタンドであって、中空形状のスタンド本体と、スタンド本体中に収容されているコネクタユニットと、を備え、スタンド本体が、コネクタユニットを回転可能に支持する支持部と、開口部が設けられていて、携帯情報端末が載置される載置部と、携帯情報端末からの音声を拡大させる音声拡大部と、を有し、コネクタユニットが、支持部に回転可能に支持されている回転部材と、回転部材に、回転部材の回転方向に間隔を開けて設けられていて、載置部に載置される携帯情報端末のレセプタクルコネクタが電気的に接続される複数個のプラグと、複数個のプラグにそれぞれ電気的に接続されているケーブルと、ケーブルに電気的に接続されていて、スタンド本体に取り付けられているソケットと、回転部材に連結されていて、かつ、少なくとも一部がスタンド本体の外側に配置されていて、少なくとも一部を操作して回転部材を回転させ、複数個のプラグのうち使用するプラグを開口部を経てスタンド本体の外側に位置させる操作部材と、を有し、複数個のプラグが、それぞれ、規格が異なるプラグであり、音声拡大部が、スタンド本体により形成されている空間から構成されていて、音声拡大部の空間が、スタンド本体の後側から前側にかけて広がっている空間形状をなし、載置部には、携帯情報端末からの音声を音声拡大部中に取り入れる取入口が、設けられていて、スタンド本体の前面側には、取入口から音声拡大部中に取り入れられ、かつ、音声拡大部により拡大された音声を外部に放出する放出孔が、設けられていて、コネクタユニットの回転部材が、音声拡大部の前記空間中に収容されていて、回転部材の回転中心線方向が、スタンド本体の前後方向に対して直交する、ことを特徴とする。
この発明の充電スタンドにおいては、取入口が、スタンド本体の前後方向の中間部分に設けられている、ことが好ましい。
この発明の充電スタンドにおいては、音声拡大部の空間の平面視形状が、ラッパ形状やメガホン形状をなし、開口部が、載置部の左右方向の中央部に設けられている、ことが好ましい。
【発明の効果】
【００１８】
この発明の充電スタンドは、大部分の携帯情報端末を充電することができる。
【図面の簡単な説明】
【００１９】
【図１】図１は、この発明の実施形態１にかかる充電スタンドを示す正面（前面）側斜め上から見た斜視図である。
【図２】図２は、充電スタンドを示す背面側斜め上から見た斜視図である。
【図３】図３は、充電スタンドを示す平面図（図１におけるＩＩＩ矢視図）である。
【図４】図４は、充電スタンドを示す右側面図（図１におけるＩＶ矢視図）である。
【図５】図５は、充電スタンドの使用状態を示す正面（前面）側斜め上から見た斜視図である。
【図６】図６は、充電スタンドの使用状態を示す背面側斜め上から見た斜視図である。
【図７】図７は、充電スタンドの使用状態を示す平面図（図５におけるＶＩＩ矢視図）である。
【図８】図８は、充電スタンドの使用状態を示す右側面図（図５におけるＶＩＩＩ矢視図）である。
【図９】図９は、充電スタンドの分解状態を示す正面（前面）側斜め上から見た斜視図である。
【図１０】図１０は、充電スタンドの分解状態を示す背面図である。
【図１１】図１１は、充電スタンドのコネクタユニットを示す背面側斜め上から見た斜視図である。
【図１２】図１２は、コネクタユニットの回転部材の分解状態を示す背面側斜め上から見た斜視図である。
【図１３】図１３は、充電スタンドを示す縦断面図（図３におけるＸＩＩＩ−ＸＩＩＩ線断面図）である。
【図１４】図１４は、内部構造を省略した充電スタンドであって、音声の流れを示す縦断面説明図（図３におけるＸＩＶ−ＸＩＶ線断面説明図）である。
【図１５】図１５は、内部構造を省略した充電スタンドであって、音声の流れを示す横断面説明図（図４におけるＸＶ−ＸＶ線断面説明図）である。
【図１６】図１６は、この発明の実施形態２にかかる充電スタンドの分解状態を示す正面（前面）側斜め上から見た斜視図である。
【図１７】図１７は、充電スタンドを示す正面（前面）側斜め上から見た斜視図である。
【図１８】図１８は、充電スタンドの使用状態を示す正面（前面）側斜め上から見た斜視図である。
【図１９】図１９は、充電スタンドを示す正面図（図１７におけるＸＩＸ矢視図）である。
【図２０】図２０は、充電スタンドを示す背面図（図１７におけるＸＸ矢視図）である。
【図２１】図２１は、充電スタンドを示す平面図（図１９におけるＸＸＩ矢視図）である。
【図２２】図２２は、充電スタンドを示す右側面図（図１９におけるＸＸＩＩ矢視図）である。
【図２３】図２３は、充電スタンドを示す縦断面図（図２１におけるＸＸＩＩＩ−ＸＸＩＩＩ線断面図）である。
【図２４】図２４は、この発明の実施形態３にかかる充電スタンドを示す平面図（図３に対応する平面図）である。
【図２５】図２５は、充電スタンドの使用状態を示す平面図（図７に対応する平面図）である。
【発明を実施するための形態】
【００２０】
以下、この発明にかかる充電スタンドの実施形態（実施例）のうち２例について図面を参照しながら詳細に説明する。なお、図面においては、概略図であるため、主な構成部品を図示し、主な構成部品以外の構成部品の図示を省略する。また、断面図において、一部の構成部品のハッチングを省略する。
【００２１】
（実施形態１の構成の説明）
図１から図１５は、この発明にかかる充電スタンドの実施形態１を示す。以下、この実施形態１にかかる充電スタンド１の構成について説明する。
【００２２】
この実施形態１にかかる充電スタンド１は、図８、図１３および図１４に示すように、テーブルなどの載置面１０上に載置して、携帯情報端末１００（この例では、スマートフォン１００）を充電するスタンドである。
【００２３】
充電スタンド１は、図１から図１０、図１３から図１５に示すように、スタンド本体２と、コネクタユニット３と、を備えるものである。
【００２４】
（スマートフォン１００の説明）
スマートフォン１００は、図５から図８に示すように、前面（正面）と、背面（後面）と、４側面（左側側面、右側側面、平面（上面）および底面（下面））と、を備える。
【００２５】
前面には、主に、ディスプレイ（画面）１０１が設けられている。背面には、主に、カメラ１０２やカメラフラッシュ１０３などが設けられている。底面には、主に、スピーカー（図示せず）やレセプタクルコネクタ（図示せず）などが設けられている。
【００２６】
レセプタクルコネクタを充電スタンド１のプラグ８０に電気的に接続することにより、スマートフォン１００は、充電スタンド１を介して、充電される。レセプタクルコネクタは、アップルインコーポレーテッドが提案するＬｉｇｈｔｎｉｎｇコネクタ、ＵＳＢ規格コネクタ（たとえば、ＭｉｃｒｏＢコネクタやＴＹＰＥ  Ｃのコネクタ）、その他の規格のコネクタなどがある。
【００２７】
このように、スマートフォン１００は、規格が異なるレセプタクルコネクタを備える。このため、スマートフォン１００を充電する場合は、スマートフォン１００のレセプタクルコネクタの規格に合ったプラグ８０を使用する必要がある。
【００２８】
（スタンド本体２の説明）
スタンド本体２は、図１から図１０、図１３から図１５に示すように、中空形状をなす。スタンド本体２は、上側ハウジング（上蓋部分）２０と、下側ハウジング（下蓋部分）２１と、から構成されている。スタンド本体２の下側ハウジング２１の下面が載置面１０上に載置される。
【００２９】
上側ハウジング２０は、正面（前面）部分、背面部分、平面（上面）部分および左右両側面部分が閉塞し、かつ、底面（下面）部分が開口した中空形状をなす。上側ハウジング２０の正面部分、背面部分、平面部分および左右両側面部分は、一体に成型されている。
【００３０】
下側ハウジング２１は、図１３および図１４に示すように、上側部分２１０と、平板形状をなす下側部分２１１と、からなる。上側部分２１０の下面と下側部分２１１の上面とは、接着剤などにより一体に接着されている。上側部分２１０の正面（前面）側端面は、下側部分２１１の上面に対して段差となっている。
【００３１】
なお、下側ハウジング２１は、別個の上側部分２１０と下側部分２１１とを一体に成型したものであっても良い。また、図９および図１０に示すように、上側部分２１０を無くして段差が無い下側部分２１１のみからなるものであっても良い。
【００３２】
図９および図１０に示すように、下側ハウジング２１の上面には、複数個この例では４個の取付円筒部２２が一体に設けられている。また、下側ハウジング２１には、４個の取付円形孔（図示せず）が、取付円筒部２２に対応して、設けられている。一方、上側ハウジング２０の内面には、４個の取付ボス部（図示せず）が、下側ハウジング２１の取付円筒部２２および取付円形孔に対応して、一体に設けられている。
【００３３】
上側ハウジング２０の取付ボス部と下側ハウジング２１の取付円筒部２２とを、下側ハウジング２１の取付孔を介して、スクリュー（図示せず）により固定する。この結果、上側ハウジング２０と下側ハウジング２１とは、一体に固定される。また、上側ハウジング２０の底面部分の開口部分は、下側ハウジング２１の上側部分２１０および下側部分２１１の一部分により閉塞される。これにより、スタンド本体２、すなわち、上側ハウジング２０および下側ハウジング２１は、中空形状をなす。
【００３４】
図２、図６および図１０に示すように、上側ハウジング２０の背面部分の右上の箇所には、後記する操作部材９の撮部９０が配置される操作口２３が設けられている。
【００３５】
また、図１、図５および図９に示すように、上側ハウジング２０の正面部分の右下の箇所には、後記するソケット８２が配置される接続口２４が設けられている。
【００３６】
さらに、図１、図５、図９および図１３から図１５に示すように、スタンド本体２の上側ハウジング２０の正面部分（スタンド本体２の前面側）には、後記する音声拡大部６により拡大された音声をスタンド本体２の外部に放出するための放出孔２５が複数個設けられている。なお、この例の放出孔２５は、楕円形状をなすが、放出孔２５の形状は、特に限定しない。また、放出孔２５は、上下７段、左右４個、６個、８個、１０個設けられているが、放出孔２５の設ける配列および個数も、特に限定しない。
【００３７】
スタンド本体２（上側ハウジング２０および下側ハウジング２１）は、支持部４と、載置部５と音声拡大部６と、を有する。
【００３８】
（支持部４の説明）
支持部４は、図９、図１０および図１３に示すように、スタンド本体２中に収容されているコネクタユニット３を、スタンド本体２に、回転可能に支持するものである。支持部４は、スタンド本体２の上側ハウジング２０と下側ハウジング２１の上側部分２１０とに、それぞれ、一体に設けられている。なお、下側ハウジング２１に設けられている支持部４は、図９、図１０および図１３に示されているが、上側ハウジング２０に設けられている支持部４は、図示されていない。
【００３９】
支持部４は、左右に平行に立てて設けられた板形状の一対の立壁からなる。一対の支持部４の上端部には、半円形の軸受部４０がそれぞれ設けられている。なお、上側ハウジング２０の軸受部は、一対の支持部の下端部にそれぞれ設けられている。この結果、上側ハウジング２０と下側ハウジング２１とを一体に固定することにより、上側ハウジング２０の軸受部と下側ハウジング２１の軸受部４０とは、円形をなす。
【００４０】
左側の支持部４の軸受部４０の中心と右側の支持部４の軸受部４０の中心とを結ぶ中心線は、コネクタユニット３が回転する回転中心線３０である。
【００４１】
図９および図１０に示すように、下側ハウジング２１の上面には、立壁形状の補助支持部４１が一体に設けられている。補助支持部４１の上端部には、４分の１円形の補助軸受部４２が設けられている。
【００４２】
（載置部５の説明）
載置部５は、図１から図１０、図１３および図１４に示すように、スタンド本体２の上側ハウジング２０の上部に設けられている。載置部５には、スマートフォン１００が載置される。載置部５は、スマートフォン１００が立て掛けられる凹形状をなしている。すなわち、載置部５は、第１対向面５１と、第２対向面５２と、載置底面５０と、を有する凹形状をなす。
【００４３】
第１対向面５１は、スマートフォン１００の前面に対向する。第２対向面５２は、スマートフォン１００の背面に対向する。載置底面５０は、スマートフォン１００のスピーカー側の側面（レセプタクルコネクタも設けられている側面である底面）に対向する。載置底面５０には、スマートフォン１００のスピーカー側の側面が載置される。第１対向面５１、第２対向面５２および載置底面５０は、左右方向であって、コネクタユニット３の回転中心線３０方向に設けられている。
【００４４】
第１対向面５１の背面視形状（後から見た形状）は、左右に細長い長方形形状をなす。また、第２対向面５２の正面視形状（前から見た形状）は、左右に細長い長方形形状をなす。さらに、載置底面５０の平面視形状（上から見た形状）は、左右に細長い長方形形状をなす。
【００４５】
第１対向面５１の左右の長さと載置底面５０の左右の長さとは、同等である。また、第２対向面５２の左右の長さは、第１対向面５１および載置底面５０の左右の長さに対して若干短い。載置底面５０は、載置面１０に対して平行であり、かつ、水平をなす。第１対向面５１および第２対向面５２は、上から下にかけて、後から前に若干傾斜している。
【００４６】
第１対向面５１、第２対向面５２および載置底面５０の中央部には、開口部５３が設けられている。開口部５３の左右方向の幅は、コネクタユニット３の左右方向の幅よりも若干広い。
【００４７】
載置底面５０の開口部５３の左右両側には、取入口５４がそれぞれ設けられている。取入口５４は、スマートフォン１００のスピーカーからの音声１０４（図１４および図１５中の実線矢印を参照）をスタンド本体２中に取り入れる。取入口５４の平面視形状は、左右に細長い長方形形状をなす。取入口５４は、スタンド本体２の前後方向の中間部分に設けられている。
【００４８】
（音声拡大部６の説明）
音声拡大部６は、スマートフォン１００のスピーカーからの音声１０４を拡大させる手段である。音声拡大部６は、図１３から図１５に示すように、スタンド本体２により形成された空間６０から構成されている。すなわち、音声拡大部６は、取入口５４側から放出孔２５側にかけて広がっている空間６０である。
【００４９】
この例の音声拡大部６の空間６０の平面視形状（上から見た形状）は、図１５に示すように、スタンド本体２の後側から前側にかけて広がっている空間形状、たとえば、ラッパ形状やメガホン形状をなす。この結果、音声拡大部６は、取入口５４からスタンド本体２中に取り入れられた音声１０４を、空間６０中を通して拡大させて、放出孔２５から外部に放出させることができる。
【００５０】
（コネクタユニット３の説明）
コネクタユニット３は、図１から図４、図７から図１３に示すように、中空形状のスタンド本体２中に、回転中心線３０回りに回転可能に、収容されている。コネクタユニット３は、回転部材７と、複数個この例では３個のプラグ８０と、ケーブル８１と、ソケット８２と、操作部材９と、を有する。
【００５１】
（回転部材７の説明）
回転部材７は、図３、図９から図１３に示すように、スタンド本体２の支持部４に、回転中心線３０回りに回転可能に、支持されている。回転部材７の回転中心線３０方向は、スタンド本体２の前後方向に対して交差（直交）する。回転部材７は、円盤形状をなす中空形状のケーシングから構成されている。
【００５２】
すなわち、回転部材７は、ケーシングを回転中心線３０に対して垂直（直角）に左右に２分割されている左側ケーシング（左蓋部分）７０と、右側ケーシング（右蓋部分）７１と、から構成されている。
【００５３】
左側ケーシング７０の周縁部分には、複数個この例では４個の円形の取付孔７２が設けられている。右側ケーシング７１の周縁部分の内面には、複数個この例では４個の円筒形の取付ボス部７３が、取付孔７２に対応して設けられている。
【００５４】
左側ケーシング７０の取付孔７２と右側ケーシング７１の取付ボス部７３とを、スクリュー（図示せず）により固定する。この結果、左側ケーシング７０と右側ケーシング７１とは、一体に固定される。これにより、回転部材７、すなわち、左側ケーシング７０および右側ケーシング７１は、中空形状の円盤形状をなす。
【００５５】
（レセプタクルコネクタ対向部７４の説明）
図３、図９から図１３に示すように、回転部材７の周縁部分であって、４個の取付孔７２および取付ボス部７３の間には、複数個この例では４個のレセプタクルコネクタ対向部７４が、回転部材７の回転方向に等間隔に設けられている。
【００５６】
すなわち、４個のレセプタクルコネクタ対向部７４は、回転部材７の周縁部分に、回転部材７の回転中心角９０°毎に、設けられている。レセプタクルコネクタ対向部７４の個数は、３個のプラグ８０よりも１個多い４個である。なお、レセプタクルコネクタ対向部７４の個数とプラグ８０の個数とは、同数個であっても良い。
【００５７】
４個のレセプタクルコネクタ対向部７４は、それぞれ、載置部５と同様に、凹形状をなしている。すなわち、４個のレセプタクルコネクタ対向部７４は、それぞれ、第１側面７５と、第２側面７６と、底面（凹面）７７と、を有する凹形状をなす。これにより、４個のレセプタクルコネクタ対向部７４は、それぞれ、載置部５と共に、スマートフォン１００を立て掛けることができる。
【００５８】
第１側面７５は、スマートフォン１００の前面に対向する。第２側面７６は、スマートフォン１００の背面に対向する。底面７７は、スマートフォン１００のレセプタクルコネクタ側の側面（スピーカーも設けられている側面である底面）に対向する。底面７７には、スマートフォン１００のレセプタクルコネクタ側の側面が載置される。
【００５９】
第１側面７５、第２側面７６および底面７７は、載置部５の第１対向面５１、第２対向面５２および載置底面５０と同様に、左右方向であって、コネクタユニット３の回転中心線３０方向に設けられている。
【００６０】
第１側面７５の背面視形状（後から見た形状）は、四角形形状をなす。また、第２側面７６の正面視形状（前から見た形状）は、同じく、四角形形状をなす。さらに、底面７７の平面視形状（上から見た形状）は、同じく、四角形形状をなす。
【００６１】
ここで、操作部材９の回転操作および停止操作を介して、回転部材７を回転させてかつ停止させると、図３および図１３に示すように、４個のレセプタクルコネクタ対向部７４のうち、任意の１個のレセプタクルコネクタ対向部７４の第１側面７５、第２側面７６および底面７７は、それぞれ、載置部５の開口部５３に位置する。
【００６２】
この時、レセプタクルコネクタ対向部７４の第１側面７５は、載置部５の第１対向面５１と面一となっている。また、レセプタクルコネクタ対向部７４の第２側面７６は、載置部５の第２対向面５２と面一となっている。さらに、底面７７は、載置部５の載置底面５０に対して、前側が下側に、傾斜している。すなわち、回転部材７のレセプタクルコネクタ対向部７４の凹形状とスタンド本体２の載置部５の凹形状とは、合致する。
【００６３】
４個のレセプタクルコネクタ対向部７４のうち３個のレセプタクルコネクタ対向部７４の底面７７には、３個のプラグ８０が、それぞれ、個別に突設されている。なお、４個のレセプタクルコネクタ対向部７４のうち、プラグ８０が突出している３個のレセプタクルコネクタ対向部７４以外の１個のレセプタクルコネクタ対向部７４の底面７７は、平面のままである。すなわち、１個のレセプタクルコネクタ対向部７４の底面７７には、プラグ８０が突出されていない。この結果、プラグ８０が突出されていないレセプタクルコネクタ対向部７４においては、スマートフォン１００を立て掛けることができるが、充電することができない。このように、プラグ８０が突出されていないレセプタクルコネクタ対向部７４は、スタンド機能を有するが、充電機能を有していない。
【００６４】
（左側軸部７８、右側軸部７９の説明）
図３、図９から図１３に示すように、回転部材７の回転中心部分の左側、すなわち、左側ケーシング７０の回転中心部分には、左側軸部７８が、回転中心線３０方向に、一体に設けられている。また、回転部材７の回転中心部分の右側、すなわち、右側ケーシング７１の回転中心部分には、右側軸部７９が、回転中心線３０方向に、一体に設けられている。
【００６５】
左側軸部７８、右側軸部７９は、スタンド本体２の支持部４の軸受部４０および補助支持部４１の補助軸受部４２に、回転中心線３０回りに回転可能に支持されている。
【００６６】
左側軸部７８は、中空形状をなしている。左側軸部７８中には、ケーブル８１が配線されている。右側軸部７９の先端には、操作部材９が連結されている。なお、右側軸部７９は、左側軸部７８と同様に、中空形状をなしているものであっても良い。
【００６７】
（プラグ８０の説明）
図３、図４、図９から図１３に示すように、３個のプラグ８０は、回転部材７に、回転方向に間隔を開けて設けられている。すなわち、３個のプラグ８０は、回転部材７の４個のレセプタクルコネクタ対向部７４のうち３個のレセプタクルコネクタ対向部７４の底面７７から回転部材７の外側に径方向に突出している。
【００６８】
３個のプラグ８０は、それぞれ、載置部５に載置されるスマートフォン１００のレセプタクルコネクタを電気的に接続される。すなわち、３個のプラグ８０は、たとえば、アップルインコーポレーテッドが提案するＬｉｇｈｔｎｉｎｇコネクタに接続されるプラグ、ＵＳＢ規格コネクタ（たとえば、ＭｉｃｒｏＢコネクタやＴＹＰＥ  Ｃのコネクタ）に接続されるプラグ、その他の規格のコネクタに接続されるプラグなどがある。
【００６９】
この例において、プラグ８０は、規格が異なるレセプタクルコネクタを電気的に接続するために、３個備える。すなわち、３個のプラグ８０は、それぞれ、規格が異なるプラグである。これにより、３個のプラグ８０は、スマートフォン１００を充電する時に、スマートフォン１００のレセプタクルコネクタの規格に合ったプラグ８０を使用する必要がある。
【００７０】
（ケーブル８１の説明）
図９から図１２に示すように、ケーブル８１の一端は、３個のプラグ８０にそれぞれ電気的に接続されている。ケーブル８１の一端側の部分は、回転部材７中に収容されていて、左側軸部７８中に配線されている。ケーブル８１の他端側の部分は、左側軸部７８から回転部材７の外側に引き出されている。
【００７１】
（ソケット８２の説明）
図１、図５、図９、図１１および図１２に示すように、ソケット８２は、ケーブル８１の他端に電気的に接続されている。ソケット８２は、スタンド本体２の接続口２４に配置されていて、スタンド本体２の上側ハウジング２０に取り付けられている。
【００７２】
（操作部材９の説明）
図１から図３、図５から図７、図９から図１２に示すように、操作部材９は、撮部９０を有する。撮部９０は、回転部材７の右側軸部７９の先端に連結されている。撮部９０の一部は、スタンド本体２の操作口２３から、スタンド本体２の外側に配置されている。
【００７３】
ここで、操作部材９の撮部９０の一部を回転中心線３０回りに回転操作させることにより、右側軸部７９を介して、回転部材７が回転中心線３０回りに回転する。また、操作部材９の撮部９０の一部の回転操作を停止させることにより、右側軸部７９を介して、回転部材７の回転中心線３０回りの回転が停止する。この結果、３個のプラグ８０のうち使用するプラグ８０が、スタンド本体２の開口部５３を経てスタンド本体２の外側に位置する。ここで、使用するプラグ８０とは、充電するスマートフォン１００のレセプタクルコネクタの規格に合う規格のプラグ８０である。
【００７４】
（ストッパの説明）
図示されていないが、固定側のスタンド本体２と回転側の回転部材７とには、回転部材７を所定の位置に停止させるためのストッパが設けられている。ストッパは、回転部材７が所定の位置に位置した時にその所定の位置に停止するための手段である。
【００７５】
すなわち、ストッパは、撮部９０を９０°回転操作させて、回転部材７を９０°回転させた時に、回転部材７を停止させるものである。ストッパとしては、たとえば、嵌合凹凸や弾性部材などを使用する。また、ストッパは、回転部材７が所定の位置に位置した時に、節度感が得られるものであっても良い。
【００７６】
回転部材７がストッパにより停止する所定の位置とは、回転部材７の４個のレセプタクルコネクタ対向部７４のうち、任意の１個のレセプタクルコネクタ対向部７４がスタンド本体２の載置部５の開口部５３に位置して、回転部材７のレセプタクルコネクタ対向部７４の凹形状とスタンド本体２の載置部５の凹形状とが合致する位置である。なお、ストッパは、設けなくても良い。
【００７７】
（実施形態１の作用の説明）
この実施形態１にかかる充電スタンド１は、以上のごとき構成からなり、以下、この実施形態１にかかる充電スタンド１の作用について説明する。
【００７８】
まず、充電スタンド１を載置面１０上に載置する。充電スタンド１のソケット８２に電源側のプラグ（図示せず）を電気的に接続する。
【００７９】
つぎに、充電するスマートフォン１００のレセプタクルコネクタの規格に合ったプラグ８０を、充電スタンド１の３個のプラグ８０の中から選択して、充電スタンド１の載置部５の開口部５３に位置させる。
【００８０】
すなわち、スタンド本体２の操作口２３からスタンド本体２の外側に配置されている操作部材９の撮部９０の一部を、回転操作させて、回転部材７を回転させる。回転部材７の３個のプラグ８０のうち使用するプラグ８０が、スタンド本体２の開口部５３に位置した時に、撮部９０の回転操作を止めて、回転部材７の回転を止め、使用するプラグ８０を開口部５３に位置させる。
【００８１】
なお、撮部９０を９０°毎回転操作させて、回転部材７を９０°毎回転させることにより、回転部材７の３個のプラグ８０を１個ずつスタンド本体２の開口部５３に位置させることができる。
【００８２】
プラグ８０が開口部５３に位置した時、図示されていないストッパの作用により、使用するプラグ８０が開口部５３に正確に位置する。すなわち、回転部材７のレセプタクルコネクタ対向部７４の凹形状とスタンド本体２の載置部５の凹形状とが正確に合致する。
【００８３】
それから、スマートフォン１００のレセプタクルコネクタ側の側面を、充電スタンド１の凹形状の載置部５に載置させる。かつ、スマートフォン１００のレセプタクルコネクタを、充電スタンド１の選択された１個のプラグ８０に、電気的に接続する。これにより、スマートフォン１００は、充電される。
【００８４】
スマートフォン１００のスピーカー側の側面は、レセプタクルコネクタ側の側面でもある。この結果、スマートフォン１００のスピーカー側の側面は、充電スタンド１の凹形状の載置部５に載置して、載置部５の取入口５４に対向する。
【００８５】
ここで、スマートフォン１００のスピーカーを作動させると、スピーカーからの音声１０４は、充電スタンド１の取入口５４からスタンド本体２中の音声拡大部６の空間６０中に取り入れられて、空間６０中を通って拡大される。拡大された音声１０４は、充電スタンド１の放出孔２５から外部に放出される。
【００８６】
このように、充電スタンド１は、スマートフォン１００を充電しながら、スマートフォン１００のスピーカーからの音声を拡大して聞くことができる。すなわち、充電スタンド１は、充電機能とスピーカー機能とを兼ね備えるものである。
【００８７】
なお、充電スタンド１は、スマートフォン１００の充電のみに使用しても良い。また、充電スタンド１は、ソケット８２から電源側のプラグ（図示せず）を外して、スマートフォン１００のスピーカーからの音声を拡大させるためのみに、あるいは、スマートフォン１００を立て掛けるスタンドとしてのみに、使用しても良い。
【００８８】
充電スタンド１をスマートフォン１００の充電に使用しない場合。すなわち、充電スタンド１をスピーカー機能あるいはスタンド機能として使用する場合は、載置部５の開口部５３に、回転部材７のプラグ８０が突出されていないレセプタクルコネクタ対向部７４を、位置させて、充電スタンド１を使用することが好ましい。
【００８９】
（実施形態１の効果の説明）
この実施形態１にかかる充電スタンド１は、以上のごとき構成、作用からなり、以下、この実施形態１にかかる充電スタンド１の効果について説明する。
【００９０】
この実施形態１にかかる充電スタンド１は、スタンド本体２と、スタンド本体２中に回転可能に支持されている回転型のコネクタユニット３と、を備えるものである。この実施形態１にかかる充電スタンド１のスタンド本体２は、支持部４と、載置部５と、音声拡大部６と、を有するものである。この実施形態１にかかる充電スタンド１の回転型のコネクタユニット３は、回転部材７と、３個のプラグ８０と、ケーブル８１と、ソケット８２と、操作部材９と、を有し、３個のプラグ８０が、それぞれ、規格が異なるプラグである。
【００９１】
この結果、この実施形態１にかかる充電スタンド１は、それぞれ規格が異なる３個のプラグ８０により、スマートフォン１００の規格が異なるレセプタクルコネクタを電気的に接続することができ、大部分のスマートフォン１００（携帯情報端末）を充電することができる。
【００９２】
すなわち、この実施形態１にかかる充電スタンド１は、操作部材９を操作して回転部材７を回転させて、３個のプラグ８０のうち使用するプラグ８０（充電するスマートフォン１００のレセプタクルコネクタの規格に合う規格のプラグ８０）を載置部５の開口部５３を経てスタンド本体２の外側に位置させることができる。これにより、この実施形態１にかかる充電スタンド１は、外側に位置するプラグ８０にスマートフォン１００のレセプタクルコネクタを電気的に接続することができる。しかも、この実施形態１にかかる充電スタンド１は、それぞれ規格が異なる３個のプラグ８０のうち使用するプラグ８０を任意に選択することができるので、大部分のスマートフォン１００（携帯情報端末）を充電することができる。
【００９３】
この実施形態１にかかる充電スタンド１は、回転部材７の回転中心部分の両側に左側軸部７８、右側軸部７９をそれぞれ設け、右側軸部７９を中空形状になし、右側軸部７９中にケーブル８１を配線するものである。この結果、この実施形態１にかかる充電スタンド１は、回転部材７の３個のプラグ８０に接続したケーブル８１が回転部材７の回転を妨げるようなことが無く、回転部材７をスムーズに回転させることができる。
【００９４】
また、この実施形態１にかかる充電スタンド１は、回転部材７の回転中心部分の両側に左側軸部７８、右側軸部７９をそれぞれ設け、左側軸部７８に操作部材９を連結したものである。この結果、この実施形態１にかかる充電スタンド１は、操作部材９とケーブル８１とを左右に分けることができ、操作部材９を、ケーブル８１による妨げが無く、スムーズに操作させることができる。
【００９５】
この実施形態１にかかる充電スタンド１は、回転部材７の周縁部分に３個のプラグ８０よりも１個多い４個のレセプタクルコネクタ対向部７４を回転方向に間隔を開けて設け、４個のレセプタクルコネクタ対向部７４のうち３個のレセプタクルコネクタ対向部７４に３個のプラグ８０を個別に設けたものである。この結果、この実施形態１にかかる充電スタンド１は、４個のレセプタクルコネクタ対向部７４のうち、プラグ８０を設けていない１個のレセプタクルコネクタ対向部７４を、充電機能ではなく、スタンド機能として使用することができる。
【００９６】
この実施形態１にかかる充電スタンド１は、４個のレセプタクルコネクタ対向部７４が、それぞれ、スマートフォン１００の前面に対向する第１側面７５と、スマートフォン１００の背面に対向する第２側面７６と、レセプタクルコネクタに対向する底面７７と、を有し、３個の底面７７に３個のプラグ８０を個別に突設してなるものである。この結果、この実施形態１にかかる充電スタンド１は、レセプタクルコネクタ対向部７４の第１側面７５、第２側面７６および底面７７がスマートフォン１００のレセプタクルコネクタ側の側面の部分を確実に保持することができる。これにより、この実施形態１にかかる充電スタンド１は、レセプタクルコネクタ対向部７４の底面７７のプラグ８０にスマートフォン１００のレセプタクルコネクタを確実に接続することができる。
【００９７】
この実施形態１にかかる充電スタンド１は、載置部５が、スマートフォン１００の前面に対向する第１対向面５１と、スマートフォン１００の背面に対向する第２対向面５２と、スマートフォン１００のスピーカー側の側面が載置される載置底面５０と、を有するものである。この結果、この実施形態１にかかる充電スタンド１は、載置部５の第１対向面５１、第２対向面５２および載置底面５０がスマートフォン１００のスピーカー側の側面の部分を確実に保持することができる。
【００９８】
この実施形態１にかかる充電スタンド１は、載置部５の第１対向面５１、第２対向面５２および載置底面５０に、レセプタクルコネクタ対向部７４の第１側面７５、第２側面７６および底面７７がそれぞれ位置する開口部５３を、設けるものである。この結果、この実施形態１にかかる充電スタンド１は、プラグ８０を開口部５３を経てスタンド本体２の外側に確実に位置させることができる。
【００９９】
この実施形態１にかかる充電スタンド１は、載置部５の第１対向面５１、第２対向面５２および載置底面５０と、レセプタクルコネクタ対向部７４の第１側面７５、第２側面７６および底面７７とを、回転部材７の回転中心線３０方向に、設けるものである。この結果、この実施形態１にかかる充電スタンド１は、載置部５の第１対向面５１、第２対向面５２と、開口部５３に位置するレセプタクルコネクタ対向部７４の第１側面７５、第２側面７６とを、面一にすることができる。これにより、この実施形態１にかかる充電スタンド１は、スタンド本体２にスマートフォン１００をさらに確実に保持することができる。
【０１００】
この実施形態１にかかる充電スタンド１は、載置底面５０にスマートフォン１００からの音声１０４を音声拡大部６中に取り入れる取入口５４を設け、スタンド本体２に取入口５４から音声拡大部６中に取り入れられ、かつ、音声拡大部６により拡大された音声１０４を外部に放出する放出孔２５を設けるものである。この結果、この実施形態１にかかる充電スタンド１は、スマートフォン１００からの音声１０４を確実に拡大させることができる。
【０１０１】
この実施形態１にかかる充電スタンド１は、音声拡大部６が、スタンド本体２により形成されている空間６０から構成されていて、取入口５４側から放出孔２５側にかけて広がっている空間であり、取入口５４から空間６０中に取り入れられた音声１０４を、空間６０中を通して拡大させて、放出孔２５から外部に放出させるものである。この結果、この実施形態１にかかる充電スタンド１は、スマートフォン１００からの音声１０４をさらに確実に拡大させることができる。
【０１０２】
この実施形態１にかかる充電スタンド１は、音声拡大部６が空間６０から構成されているものであるから、前記の特許文献１のクレードルスピーカー装置のような受信コイル、オーディオアンプおよびスピーカーを設けたり、また、前記の特許文献２の電子機器システムのような振動子を備えたりする必要が無い。この結果、この実施形態１にかかる充電スタンド１は、前記の特許文献１のクレードルスピーカー装置および前記の特許文献２の電子機器システムに比較して、構造が簡単であり、製造コストを安価にすることができる。
【０１０３】
この実施形態１にかかる充電スタンド１は、音声拡大部６の空間６０が、図１５に示すように、後側から前側にかけて広がっている空間形状、たとえば、ラッパ形状やメガホン形状をなす。この結果、この実施形態１にかかる充電スタンド１は、取入口５４からスタンド本体２中に取り入れられた音声１０４を、ラッパ形状やメガホン形状をなす音声拡大部６の空間６０中を通すことにより、確実に拡大させることができる。これにより、この実施形態１にかかる充電スタンド１は、拡大された音声１０４を、放出孔２５から外部に放出させることができる。
【０１０４】
この実施形態１にかかる充電スタンド１は、音声拡大部６が、スタンド本体２により形成されている空間６０から構成されていて、音声拡大部６の空間６０が、図１５に示すように、スタンド本体２の後側から前側にかけて広がっているラッパ形状やメガホン形状の空間形状をなし、スタンド本体２の前面側には、放出孔２５が設けられていて、コネクタユニット３の回転部材７が、音声拡大部６の空間６０中に収容されていて、回転部材７の回転中心線３０方向が、スタンド本体２の前後方向に対して交差（直交）するものである。この結果、この実施形態１にかかる充電スタンド１は、平面視形状がラッパ形状やメガホン形状をなす空間６０中に、円盤形状の回転部材７を、回転可能に収容することができ、ラッパ形状やメガホン形状の空間６０を有効に利用することができる。
【０１０５】
しかも、この実施形態１にかかる充電スタンド１は、取入口５４を、スタンド本体２の前後方向の中間部分に設けているので、ラッパ形状やメガホン形状をなすスタンド本体２の音声拡大部６の空間６０中に、コネクタユニット３の円盤形状の回転部材７を、回転可能に収容しても、音声１０４の拡大効果を十分に得ることができる。
【０１０６】
（実施形態２の説明）
図１６から図２３は、この発明にかかる充電スタンドの実施形態２を示す。以下、この実施形態２にかかる充電スタンド１Ａについて説明する。図中、図１から図１５と同符号は、同一物を示す。
【０１０７】
（実施形態２の構成の説明）
この実施形態２にかかる充電スタンド１Ａは、前記の実施形態１にかかる充電スタンド１と同様に、スタンド本体２Ａと、コネクタユニット３Ａと、を備えるものである。
【０１０８】
スタンド本体２Ａは、図２３に示すように、中空形状をなす。スタンド本体２Ａの前面、左右両側面、平面および底面は、平面板からなる。また、スタンド本体２Ａの後面は、上側部分が平面板からなり、下側部分が凹曲面板からなる。スタンド本体２Ａは、支持部４Ａと、載置部５と、音声拡大部６Ａと、を有する。
【０１０９】
図１６から図１８に示すように、スタンド本体２Ａの前面には、接続口２４が設けられていて、接続口２４には、ソケット８２が設けられている。スタンド本体２Ａの側面には、放出孔２５Ａが設けられている。音声拡大部６Ａは、図２３に示すように、スタンド本体２Ａにより形成されている空間６０Ａから構成されている。
【０１１０】
コネクタユニット３Ａは、図１６および図２３に示すように、回転部材７Ａと、３個のプラグ８０と、ケーブル８１と、ソケット８２と、操作部材９と、を有するものである。回転部材７Ａの回転中心部分の両側には、前側軸部７８Ａ、後側軸部７９Ａがそれぞれ設けられている。
【０１１１】
後側軸部７９Ａは、中空形状をなしていて、この後側軸部中には、ケーブル８１が配線されている。ケーブル８１には、ソケット８２が接続されている。前側軸部７８Ａの先端部分は、スタンド本体２Ａの前面から外側に突出している。前側軸部７８Ａの先端部分には、操作部材９が連結されている。
【０１１２】
回転部材７Ａの前側軸部７８Ａは、スタンド本体２Ａに、また、回転部材７の後側軸部７９Ａは、支持部４Ａに、それぞれ、回転可能に支持されている。コネクタユニット３Ａの回転中心線３０Ａは、スタンド本体２Ａの前後方向である。この結果、載置部５の第１対向面５１、第２対向面５２および載置底面５０は、コネクタユニット３Ａの回転中心線３０Ａ方向に対して交差（上から見て直交）する方向に設けられている。
【０１１３】
回転部材７Ａの周縁部分には、４個のレセプタクルコネクタ対向部７４Ａが、回転部材７Ａの回転方向に、９０°毎の間隔を開けて、設けられている。レセプタクルコネクタ対向部７４Ａは、回転部材７Ａの径方向に突出した凸部形状をなす。３個のレセプタクルコネクタ対向部７４Ａの凸面（頂面）には、３個のプラグ８０が個別に突設されている。
【０１１４】
（実施形態２の作用、効果の説明）
この実施形態２にかかる充電スタンド１Ａは、以上のごとき構成からなるので、前記の実施形態１にかかる充電スタンド１と同様の作用効果を達成することができる。
【０１１５】
（実施形態３の説明）
図２４および図２５は、この発明にかかる充電スタンドの実施形態３を示す。以下、この実施形態３にかかる充電スタンド１Ｂについて説明する。図中、図１から図２３と同符号は、同一物を示す。
【０１１６】
（実施形態３の構成の説明）
前記の実施形態１にかかる充電スタンド１は、操作部材９の撮部９０の一部がスタンド本体２の操作口２３からスタンド本体２の外側に配置されているものである。これに対して、この実施形態３にかかる充電スタンド１Ｂは、操作部材９の撮部９０の全部がスタンド本体２の外側に露出して配置されているものである。なお、操作部材９の撮部９０の形状および大きさなどは、図面に示されている形状および大きさに限定されない。
【０１１７】
この実施形態３にかかる充電スタンド１Ｂは、操作部材９の撮部９０の全部がスタンド本体２の外側に露出して配置されているものであるから、操作部材９の撮部９０の回転操作および回転操作の停止が容易である。なお、前記の実施形態１にかかる充電スタンド１は、操作部材９の撮部９０の一部がスタンド本体２の外側に配置されているものであるから、充電スタンド１を小型化にまとめることができる。
【０１１８】
（実施形態１、２、３以外の例の説明）
なお、この発明は、前記の実施形態１、２、３により限定されるものではない。
【０１１９】
また、この発明は、前記の実施形態１、２、３において、固定側のスタンド本体２、２Ａと回転側の回転部材７、７Ａとに、回転部材７、７Ａを所定の位置に停止させるためのストッパ（図示せず）を、設けても良い。ストッパは、回転部材７、７Ａが所定の位置に位置した時にその所定の位置に停止するための手段である。ストッパとしては、たとえば、嵌合凹凸や弾性部材などを使用する。また、ストッパは、回転部材７、７Ａが所定の位置に位置した時に、節度感が得られるものであっても良い。
【０１２０】
さらに、前記の実施形態１、２、３においては、規格がそれぞれ異なるプラグ８０を３個設けているものである。しかしながら、この発明においては、規格がそれぞれ異なるプラグ８０を２個または４個以上設けても良い。
【０１２１】
さらにまた、前記の実施形態１、２、３においては、レセプタクルコネクタ対向部７４、７４Ａの個数が、プラグ８０の個数に対して、１個多いものである。しかしながら、この発明においては、レセプタクルコネクタ対向部７４、７４Ａの個数をプラグ８０の個数と同等であっても良いし、あるいは、レセプタクルコネクタ対向部７４、７４Ａの個数を、プラグ８０の個数に対して、２個以上多くしても良い。
【符号の説明】
【０１２２】
１、１Ａ、１Ｂ…充電スタンド
１０…載置面
２、２Ａ…スタンド本体
２０…上側ハウジング
２１…下側ハウジング
２１０…上側部分
２１１…下側部分
２２…取付円筒部
２３…操作口
２４…接続口
２５、２５Ａ…放出孔
３、３Ａ…コネクタユニット
３０、３０Ａ…回転中心線
４、４Ａ…支持部
４０…軸受け部
４１…補助支持部
４２…補助軸受部
５…載置部
５０…載置底面
５１…第１対向面
５２…第２対向面
５３…開口部
５４…取入口
６、６Ａ…音声拡大部
６０、６０Ａ…空間
７、７Ａ…回転部材
７０…左側ケーシング
７１…右側ケーシング
７２…取付孔
７３…取付ボス部
７４、７４Ａ…レセプタクルコネクタ対向部
７５…第１側面
７６…第２側面
７７…底面
７８…左側軸部
７９…右側軸部
７８Ａ…前側軸部
７９Ａ…後側軸部
８０…プラグ
８１…ケーブル
８２…ソケット
９…操作部材
９０…撮部
１００…スマートフォン（携帯情報端末）
１０１…ディスプレイ
１０２…カメラ
１０３…カメラフラッシュ
１０４…音声
【要約】
【課題】大部分の携帯情報端末を充電することができる。
【解決手段】この発明の充電スタンド１は、スタンド本体２と、回転型のコネクタユニット３と、を備える。スタンド本体２は、支持部４と、載置部５と、音声拡大部６と、を有する。回転型のコネクタユニット３は、回転部材７と、それぞれ規格が異なる３個のプラグ８０と、ケーブル８１と、ソケット８２と、操作部材９と、を有する。この結果、この発明の充電スタンド１は、大部分のスマートフォン１００(携帯情報端末)を充電することができる。
【選択図】        図１【図１】
0006675550.tif 000002
【図２】
0006675550.tif 000003
【図３】
0006675550.tif 000004
【図４】
0006675550.tif 000005
【図５】
0006675550.tif 000006
【図６】
0006675550.tif 000007
【図７】
0006675550.tif 000008
【図８】
0006675550.tif 000009
【図９】
0006675550.tif 000010
【図１０】
0006675550.tif 000011
【図１１】
0006675550.tif 000012
【図１２】
0006675550.tif 000013
【図１３】
0006675550.tif 000014
【図１４】
0006675550.tif 000015
【図１５】
0006675550.tif 000016
【図１６】
0006675550.tif 000017
【図１７】
0006675550.tif 000018
【図１８】
0006675550.tif 000019
【図１９】
0006675550.tif 000020
【図２０】
0006675550.tif 000021
【図２１】
0006675550.tif 000022
【図２２】
0006675550.tif 000023
【図２３】
0006675550.tif 000024
【図２４】
0006675550.tif 000025
【図２５】
0006675550.tif 000026